(57)【要約】【課題】収縮時の背丈を低くできる水圧式入浴装置の提供。【解決手段】水圧式入浴装置Ａは、浴槽内底面に載置される脚座２１と、基台支持板２２に円筒下端を固定した下側剛性円筒３１と、下側剛性円筒３１へ外嵌される上側剛性円筒３２と、水給排口ｊと、円筒内に装入されるベローズと、天板５１、左右側板、椅子部材５４を有する可動体５と、左右レールホルダに固定される下側レール７１と、左右側板に固定される上側レール７２と、レール内へ差し込まれる慴動レール７３とを備えてなり、収縮時の背丈を低くできる。【選択図】図１
0003162963.tif 000002
【実用新案登録請求の範囲】
【請求項１】
浴槽の内底面に載置される脚座と、
上方へ立設する左右レールホルダを後方連結材で補強し、脚座端に回動可能に取り付けられる下側レール保持基台と、
該下側レール保持基台に円筒下部を固定した下側剛性円筒と、
該下側剛性円筒と嵌合し、上部に水給排口が貫通する上側剛性円筒と、
上側剛性円筒内に装入され前記水給排口の下流側に径小部を接続した上部ベローズ、下側剛性円筒内に装入される下部ベローズを有し、くびれ部を介して上部・下部ベローズを一体化させているゴム製のベローズと、
前記上側剛性円筒の上部に天板を固定し、前記天板の左右端から左右側板が下方向に延び、左右のフックを各側板に固定し円筒前方にフック付の椅子部材が臨む可動体と、
前記左右レールホルダに固定される断面略コ字状で細長の下側レールと、
前記左右側板に固定される断面略コ字状で細長の上側レールと、
一方レール面が上側レール内へ差し込まれ、他方レール面が下側レール内へ差し込まれ、一方・他方レール面に配設した転動ボールによりレール全体を伸縮可能にする細長板状の慴動レールとを備えてなる水圧式入浴装置。
【請求項２】
幅狭側の脚座上端面に基台支持板を設け、基台支持板側が横長浴槽の幅狭側の浴槽内壁面に近接する様に浴槽内底面に載置される横長枠状の脚座と、
回動可能に基台支持板上に取り付けられる基盤と、
基盤上に円筒下端を固定した下側剛性円筒と、
内径が前記下側剛性円筒の外径に略等しく、且つ、筒長が前記下側剛性円筒の筒長に略等しく設定され、前記下側剛性円筒へ外嵌される上側剛性円筒と、
円筒上開口を塞ぐ様に前記上側剛性円筒の上端に固定される上板に取り付けられる水給排口と、
上側剛性円筒内に装入され前記水給排口の下流側に径小部を接続した上部ベローズ、下側剛性円筒内に装入される下部ベローズを有し、くびれ部を介して上部・下部ベローズを一体化させているゴム製のベローズと、
上板上面に下面を固定した天板の左右端から左右側板が下方向に延び、左右のフックを各側板に固定し円筒前方にフック付の椅子部材が臨む可動体と、
前記基盤の左右端から立設する左右レールホルダと、レールホルダどうしを後側で連結する補強部材とを有する下側レール保持部材と、
前記左右レールホルダの円筒側に固定される断面略コ字状で細長の下側レールと、
前記可動体の前記左右側板の円筒側に固定される断面略コ字状で細長の上側レールと、  一方レール面が前記上側レールのコ字状内へ差し込まれ、他方レール面が前記下側レールのコ字状内へ差し込まれ、一方・他方レール面に配設した転動ボールによりレール全体を伸縮可能にする細長板状の慴動レールとを備えてなる水圧式入浴装置。
【請求項３】
前記慴動レールの前記一方レール面の上端を該一方レール面から垂直方向に延ばし、前記上側レールの前記他方レール面の下端を該他方レール面から垂直方向に延ばしたことを特徴とする請求項２に記載の水圧式入浴装置。
【請求項４】
僅かに上傾斜する様に、前記基盤を前記基台支持板上に取り付けたことを特徴とする請求項２または請求項３に記載の水圧式入浴装置。
【考案の詳細な説明】
【技術分野】
【０００１】
本考案は、要介護者や高齢者の入浴を補助する水圧式入浴装置に関する。
【背景技術】
【０００２】
要介護者や高齢者は、自分で浴槽に入って入浴するのが困難である。
介護士が上記入浴困難者を抱きかかえて入浴させることは、衛生上も体力的にも得策ではない。
【０００３】
特許文献１には、椅子付きテレスコープ型伸縮装置が記載されている。
【先行技術文献】
【特許文献】
【０００４】
【特許文献１】特開２００６−３２６２２７号公報
【考案の概要】
【考案が解決しようとする課題】
【０００５】
上記特許文献１は、下記の課題を有する。
椅子部材が最下へ変位した場合でも、縦桁部が聳え立っており、入浴困難者に威圧感を与える。
【０００６】
本考案の目的は、収縮時の背丈を低くできる水圧式入浴装置の提供にある。
【課題を解決するための手段】
【０００７】
（請求項１について）
水圧式入浴装置は、浴槽の内底面に載置される脚座と、脚座端に取り付けられる下側レール保持基台と、下側レール保持基台に固定される下側剛性円筒と、下側剛性円筒に嵌合する上側剛性円筒と、円筒内に装入されるベローズと、天板、左右側板、椅子部材を有する可動体と、左右レールホルダに固定される下側レールと、左右側板に固定される上側レールと、上側・下側レール内へ差し込まれる慴動レールとを備えてなる。
【０００８】
脚座上で回動可能な下側レール保持基台は、上方へ立設する左右レールホルダを後方連結材で補強している。
下側剛性円筒は、円筒下部を下側レール保持基台に固定している。
上側剛性円筒は、上部に水給排口を貫通させている。
【０００９】
ベローズは、くびれ部を介して、上部ベローズと下部ベローズを一体化させている。
上部ベローズは、上側剛性円筒内に装入され、水給排口の下流側に径小部を接続している。
下部ベローズは、下側剛性円筒内に装入されている。
可動体は、上側剛性円筒の上部に天板を固定し、天板の左右端から左右側板が下方向に延び、左右のフックを各側板に固定し円筒前方にフック付の椅子部材を臨ませている。    
【００１０】
断面略コ字状で細長の下側レール（２個１組）は、下側レール保持基台の、左レールホルダおよび右レールホルダに固定されている。
断面略コ字状で細長の上側レール（２個１組）は、可動体の左側板および右側板に固定されている。
なお、同じ側の下側レールおよび上側レールは、各レールのコ字状部が対向する向きに固定されている。
【００１１】
細長板状の慴動レールは、一方レール面が上側レールのコ字状内へ差し込まれ、他方レール面が下側レールのコ字状内へ差し込まれ、一方・他方レール面に配設した転動ボールによりレール全体を伸縮可能にしている。
【００１２】
水給排口からベローズ内へ水を給水していくと、ヒダどうしが離れてベローズの軸方向長が長くなっていくので、下側剛性円筒に外嵌されている上側剛性円筒が上昇していく。  この際、可動体の天板が上側剛性円筒の上部に固定されているので、円筒前方にフック付の椅子部材を臨ませた可動体も上昇していく。
【００１３】
下側レール保持基台の左右レールホルダに下側レールが固定され、可動体の左側板および右側板に上側レールが固定され、一方・他方レール面に転動ボールを配設した慴動レールの、一方・他方レール面が上・下側レール内へ差し込まれているので、可動体を安定して上昇させることができる。
【００１４】
ベローズ内の水を水給排口から排水していくと、ヒダどうしが接近してベローズの軸方向長が短くなっていくので上側剛性円筒が下降していく。
この際、可動体の天板が上側剛性円筒の上部に固定されているので、フック付の椅子部材を円筒前方に臨ませた可動体も下降していく。
【００１５】
下側レール保持基台の左右レールホルダに下側レールが固定され、可動体の左側板および右側板に上側レールが固定され、一方・他方レール面に転動ボールを配設した慴動レールの、一方・他方レール面が上・下側レール内へ差し込まれているので、可動体を安定して下降させることができる。
【００１６】
要介護者や高齢者等の入浴困難者を椅子部材に乗せるタイミングは、入浴困難者を浴槽内へ入れる場合や浴槽内から出す場合である。
また、下側レール保持基台を回動させるタイミングは、浴槽上面より椅子部材が充分上方へ上昇した時点である。
【００１７】
いつも聳え立つ縦桁部がなく、可動体の天板が上側剛性円筒の上部に固定されているので、上側剛性円筒の上昇下降に応じて可動体が上下する。このため、水圧式入浴装置は、収縮時の背丈を低くでき、入浴困難者に威圧感を与えない。
【００１８】
（請求項２について）
水圧式入浴装置は、浴槽内底面に載置される脚座と、基盤上に円筒下端を固定した下側剛性円筒と、下側剛性円筒へ外嵌される上側剛性円筒と、水給排口と、円筒内に装入されるベローズと、天板、左右側板、椅子部材を有する可動体と、左右レールホルダに固定される下側レールと、左右側板に固定される上側レールと、レール内へ差し込まれる慴動レールとを備えてなる。
【００１９】
横長枠状の脚座は、幅狭側の脚座上端面に基台支持板を設け、横長浴槽の幅狭側の浴槽内壁面に基台支持板側が近接する様に載置されている。
基盤は、基台支持板上に回動可能に取り付けられている。
【００２０】
下側剛性円筒は、基盤上に円筒下端を固定している。
上側剛性円筒は、下側剛性円筒の外径寸法に内径が略等しく設定され、下側剛性円筒の筒長寸法に筒長が略等しく設定されている。
【００２１】
水給排口は、円筒上開口を塞ぐ様に上側剛性円筒の上端に固定される上板に取り付けられている。
ゴム製のベローズは、上側剛性円筒内に装入され水給排口の下流側に径小部を接続した上部ベローズと、下側剛性円筒内に装入される下部ベローズとを有し、くびれ部を介して上部・下部ベローズを一体化させている。
【００２２】
可動体は、上板上面に下面を固定した天板と、天板の左端から下方向に延びる左側板と、天板の右端から下方向に延びる右側板と、左右のフックを左・右側板に固定し、円筒前方に臨むフック付の椅子部材とを備える。
【００２３】
下側レール保持部材は、基盤の左端から立設する左レールホルダと、基盤の右端から立設する右レールホルダと、レールホルダどうしを後側で連結する補強部材とを有する。
断面略コ字状で細長の下側レール（２個１組）は、左レールホルダの円筒側および右レールホルダの円筒側に固定されている。
【００２４】
断面略コ字状で細長の上側レール（２個１組）は、可動体の左側板の円筒側および右側板の円筒側に固定されている。
細長板状の慴動レールは、一方レール面が上側レール内へ差し込まれ、他方レール面が下側レール内へ差し込まれ、一方・他方レール面に配設した転動ボールによりレール全体を伸縮可能にしている。
【００２５】
水給排口からベローズ内へ水を給水していくと、ヒダどうしが離れてベローズの軸方向長が長くなっていくので、下側剛性円筒に外嵌されている上側剛性円筒が上昇していく。  この際、上側剛性円筒の上端に固定した上板上面に、可動体の天板下面が固定されているので、円筒前方にフック付の椅子部材を臨ませた可動体も上昇していく。
【００２６】
下側レール保持部材の左右レールホルダに下側レールが固定され、可動体の左側板および右側板に上側レールが固定され、一方・他方レール面に転動ボールを配設した慴動レールの、一方・他方レール面が上・下側レール内へ差し込まれているので、可動体を安定して上昇させることができる。
【００２７】
ベローズ内の水を水給排口から排水していくと、ヒダどうしが接近してベローズの軸方向長が短くなっていくので、上側剛性円筒が下降していく。
この際、上側剛性円筒の上端に固定した上板上面に、可動体の天板下面が固定されているので、フック付の椅子部材を円筒前方に臨ませた可動体も下降していく。
【００２８】
下側レール保持部材の左右レールホルダに下側レールが固定され、可動体の左側板および右側板に上側レールが固定され、一方・他方レール面に転動ボールを配設した慴動レールの、一方・他方レール面が上・下側レール内へ差し込まれているので、可動体を安定して下降させることができる。
【００２９】
要介護者や高齢者等の入浴困難者を椅子部材に乗せるタイミングは、入浴困難者を浴槽内へ入れる場合や浴槽内から出す場合である。
また、基盤を回動させるタイミングは、浴槽上面より椅子部材が充分上方へ上昇した時点である。
【００３０】
いつも聳え立つ縦桁部がなく、上側剛性円筒の上端に固定した上板上面へ可動体の天板下面を固定しているので、上側剛性円筒の上昇下降に応じて可動体が上下する。このため、水圧式入浴装置は、収縮時の背丈を低くでき、入浴困難者に威圧感を与えない。
【００３１】
（請求項３について）
慴動レールの一方レール面の上端を一方レール面から垂直方向に延ばし（係止片）、上側レールの他方レール面の下端を他方レール面から垂直方向に延ばしている（係止片）。  このため、各係止片が係止することにより、上側剛性円筒の上昇限界を設定することができる。
【００３２】
（請求項４について）
僅かに上傾斜する様に、基盤を基台支持板上に取り付けている。
このため、椅子部材へ乗せた、要介護者や高齢者等の入浴困難者が、前方へズリ落ちることなく、安定して上昇下降させることができる。
【図面の簡単な説明】
【００３３】
【図１】本考案の実施例１に係る水圧式入浴装置の側面図である。
【図２】その水圧式入浴装置（伸長時）の断面図である。
【図３】その水圧式入浴装置（収縮時）の断面図である。
【図４】その水圧式入浴装置（椅子部材定位置）の上面図である。
【図５】その水圧式入浴装置（椅子部材回動時）の上面図である。
【実施例１】
【００３４】
本考案の実施例１（請求項１、２、３、４に対応）に係る水圧式入浴装置Ａを図１〜図５に基づいて説明する。
水圧式入浴装置Ａは、浴槽１内に載置される横長枠状の脚座２１と、基盤２０上に固定される下側剛性円筒３１と、下側剛性円筒３１へ外嵌される上側剛性円筒３２と、水給排口ｊと、下側剛性円筒３１および上側剛性円筒３２内に装入されるベローズ４と、天板５１、左側板５２、右側板５３、椅子部材５４を有する可動体５と、左レールホルダ６１、右レールホルダ６２、補強部材６３を有する下側レール保持部材６と、左レールホルダ６１および右レールホルダ６２に固定される下側レール７１と、左側板５２、右側板５３に固定される上側レール７２と、慴動レール７３とを備えてなる。
【００３５】
本実施例では浴槽１は、浴槽内底面の大きさが４５ｃｍ×９０ｃｍで、浴槽内底面から浴槽上面までの長さが５５ｃｍの横長形状を呈する。
幅狭側の脚座上端面に基台支持板２２を設けた脚座２１は、浴槽１の幅狭側の浴槽内壁面１１に基台支持板２２側が近接する様に、ゴム足２３、２４を介して浴槽内底面１２に載置される。
【００３６】
板状の基盤２０は、数度、上傾斜状態で、基台支持板２２上へ回動可能に取り付けられている。
基盤２０上には正方形の金属板３３が連結（ネジ止め）され、円筒下開口を塞ぐ様に金属板３３が下側剛性円筒３１に固定（ネジ止め）されている。
【００３７】
上側剛性円筒３２は、下側剛性円筒３１の外径寸法に内径が略等しく設定され、下側剛性円筒３１の筒長寸法に筒長が略等しく設定されている。そして、上側剛性円筒３２の円筒上開口を塞ぐ様に金属板３４が固定（ネジ止め）されている。
これら上側剛性円筒３２および下側剛性円筒３１は、アルミニウムや真鍮等の金属で形成されている。
【００３８】
水給排口ｊは、金属板３４に取り付けられ、水道蛇口にホースｈで接続されている。  ベローズ４（ゴム製）は、上側剛性円筒３２内に装入され水給排口ｊの下流側に径小部４１を接続した上部ベローズ４２と、下側剛性円筒３１内に装入される下部ベローズ４３とを有する。そして、上部ベローズ４２、下部ベローズ４３は、くびれ部４４により、上部・下部ベローズ４２、４３を一体化している。
【００３９】
可動体５は、金属板３４の上面に下面を固定した天板５１と、天板５１の左端から下方向に延びる左側板５２と、天板５１の右端から下方向に延びる右側板５３と、左右のフックｆを左・右側板５２、５３の中央より若干下よりに固定し、各剛性円筒の前方に臨むフックｆ付の椅子部材５４とを備える。
なお、５６は、回動可能に椅子部材５４に取り付けられた支えバーである。
【００４０】
下側レール保持部材６は、基盤２０の左端の三角板６０から立設する左レールホルダ６１と、基盤２０の右端の三角板６０から立設する右レールホルダ６２と、左レールホルダ６１および右レールホルダ６２を後側で連結する補強部材６３とを有する。
【００４１】
断面略コ字状で細長の下側レール７１（２個１組）は、左レールホルダ６１の円筒側、および右レールホルダ６２の円筒側に固定されている。
断面略コ字状で細長の上側レール７２（２個１組）は、可動体５の左側板５２の円筒側および右側板５３の円筒側に固定されている。
【００４２】
細長板状の慴動レール７３は、一方レール面が上側レール７２の凹溝内へ差し込まれ、他方レール面が下側レール７１の凹溝内へ差し込まれ、慴動レール７３の慴動縁部に配設した転動ボール７０によりレール全体を伸縮可能にしている。
なお、慴動レール７３の一方レール面の上端を一方レール面から垂直方向に延ばし、上側レール７２の他方レール面の下端を他方レール面から垂直方向に延ばしている。
【００４３】
この水圧式入浴装置Ａは、以下の様に作動する。
水給排口ｊからベローズ４内へ水４０を給水していくと、ヒダどうしが離れてベローズ４の軸方向長が長くなっていくので、下側剛性円筒３１に外嵌されている上側剛性円筒３２が上昇していく。
この際、上側剛性円筒３２の上端に固定した金属板３４上面に、可動体５の天板５１の下面が固定されているので、円筒前方にフックｆ付の椅子部材５４を臨ませた可動体５も上昇していく。
【００４４】
下側レール保持部材６の左レールホルダ６１および右レールホルダ６２に下側レール７１が固定され、可動体５の左側板５２および右側板５３に上側レール７２が固定され、慴動レール７３の慴動縁部に転動ボール７０を配設した慴動レール７３が上側レール７２の凹溝内および下側レール７１の凹溝内へ差し込まれているので、可動体５を安定に上昇させることができる。
【００４５】
要介護者や高齢者等の入浴困難者を浴槽１内へ入れる場合には、浴槽上面より椅子部材５４が充分上方へ上昇している状態（図２参照）で、車椅子等に乗っている入浴困難者を介護士が支えて椅子部材５４に乗せる（図４参照）。
そして、一点鎖線で示す方向へ基盤２０を回動させる（図４、図５参照）。
【００４６】
基盤２０が図５になった位置で、ベローズ４内の水４０を水給排口ｊから排水する。  ベローズ４内の水４０を排水していくと、ヒダどうしが接近してベローズ４の軸方向長が短くなっていくので、上側剛性円筒３２が下降していく（図３参照）。
この際、可動体５の天板５１が上側剛性円筒３２の金属板３４に固定されているので、椅子部材５４を円筒前方に臨ませた可動体５も下降していき、入浴困難者が湯中へ沈降していく。
【００４７】
入浴が終了すると、水給排口ｊからベローズ４内へ水を給水していく。ヒダどうしが離れてベローズ４の軸方向長が長くなっていくので、下側剛性円筒３１に外嵌されている上側剛性円筒３２が上昇し、入浴困難者が乗った可動体５も上昇していく。
椅子部材５４が浴槽上面より充分上方へ上昇すると（図２参照）、一点鎖線から実線で示す方向へ基盤２０を回動させる（図４、図５参照）。
椅子部材５４に乗っている入浴困難者を介護士が支えて車椅子等へ降ろす。
【００４８】
本実施例の水圧式入浴装置Ａは、以下の利点を有する。
常時、聳え立つ縦桁部がなく、上側剛性円筒３２へ固定した金属板３４の上面に、可動体５の天板５１を固定し、椅子部材５４のフックｆを左側板５２の中央より若干下方へ固定しているので、上側剛性円筒３２の上昇下降に応じて可動体５が上下する。このため、水圧式入浴装置Ａは、収縮時の背丈を低くでき、入浴困難者に威圧感を与えない。  
【００４９】
可動体５の左側板５２の円筒側および右側板５３の円筒側に上側レール７２（２個１組）を固定し、左レールホルダ６１の円筒側および右レールホルダ６２の円筒側に下側レール７１（２個１組）を固定し、転動ボール７０を配設した慴動レール７３を各レールの凹溝内へ差し込んでレール全体を伸縮可能にしている。このため、上側剛性円筒３２の上昇下降の際に、上側剛性円筒３２のぐらつきを防止できる。
【００５０】
板状の基盤２０は、数度、上傾斜する様に、基台支持板２２上に回動可能に取り付けられている。このため、椅子部材５４へ乗せた、要介護者や高齢者等の入浴困難者を安定して上昇下降させることができる。
【００５１】
慴動レール７３の一方レール面の上端を一方レール面から垂直方向に延ばし（係止片）、上側レール７２の他方レール面の下端を他方レール面から垂直方向に延ばしている（係止片）。
このため、各係止片が係止することにより、上側剛性円筒３２の上昇限界を設定することができ、上側剛性円筒３２のスッポ抜けを防止できる。
【００５２】
剛性円筒が三段以上であると、バランス良く上下しない剛性円筒があったり、レール構造が複雑になる。
本実施例の水圧式入浴装置Ａは、下側剛性円筒３１に上側剛性円筒３２を外嵌する構成であるため、上記不具合は生じない。
【産業上の利用可能性】
【００５３】
この水圧式入浴装置は、収縮時の背丈が低く、入浴困難者へ威圧感を与えずに入浴させることができる。
【符号の説明】
【００５４】
Ａ  水圧式入浴装置
ｊ  水給排口
ｆ  フック
１  浴槽
４  ベローズ
５  可動体
６  下側レール保持部材
２０  基盤
２１  脚座
３１  下側剛性円筒
３２  上側剛性円筒
５１  天板
５２  左側板
５３  右側板
５４  椅子部材
６１  左レールホルダ
６２  右レールホルダ
６３  補強部材
７１  下側レール
７２  上側レール
７３  慴動レール
【図１】
0003162963.tif 000003
【図２】
0003162963.tif 000004
【図３】
0003162963.tif 000005
【図４】
0003162963.tif 000006
【図５】
0003162963.tif 000007